(57)【要約】  【課題】外国人利用者に対して特別な操作の手間をかけることなく、外国人向けのカラオケ楽曲間ＣＭや所定のカラオケ楽曲に関連するコンテンツメッセージなどのメッセージ表記を好適に自動表示できる言語別表示機能を有するカラオケ演奏装置の提供。  【解決手段】予め設定された演奏数において、所定国のカラオケ楽曲の演奏割合が予め設定された規定値以上となった場合、それ以降は、順次演奏が行われる過程でその規定値を下回らない条件で、所定のカラオケ楽曲演奏の際、カラオケ楽曲間ＣＭやコンテンツメッセージといったメッセージ表記については当該所定国の言語にて表示する。【選択図】図１
2005215305.tif 000002
【特許請求の範囲】
【請求項１】
利用者が所望するカラオケ楽曲の演奏予約に従い、歌詞テロップや背景映像などを表示しながら演奏するカラオケ演奏装置において、予め設定された演奏数に達した段階にて、所定国のカラオケ楽曲の演奏割合が予め設定された規定値以上となった場合、それ以降は、順次演奏が行われる過程で前記規定値を下回らない条件で、所定のカラオケ楽曲演奏の際、カラオケ楽曲間ＣＭやコンテンツメッセージといったメッセージ表記については当該所定国の言語にて表示することを特徴とするカラオケ演奏装置。
【請求項２】
利用者が所望するカラオケ楽曲の演奏予約に従い、歌詞テロップや背景映像などを表示しながら演奏するカラオケ演奏装置において、予め設定された演奏数の直近の範囲内において、所定国のカラオケ楽曲の演奏割合が予め設定された規定値以上となった場合、それ以降は、順次演奏が行われる過程で前記規定値を下回らない条件で、所定のカラオケ楽曲演奏の際、カラオケ楽曲間ＣＭやコンテンツメッセージといったメッセージ表記については当該所定国の言語にて表示することを特徴とするカラオケ演奏装置。
【請求項３】
前記所定のカラオケ楽曲演奏が前記所定国のカラオケ楽曲演奏である請求項１ないし請求項２記載の言語別表示機能を有するカラオケ演奏装置。
【請求項４】
前記メッセージ表記が利用者の歌唱力採点情報である請求項１ないし請求項３記載の言語別表示機能を有するカラオケ演奏装置。
【発明の詳細な説明】
【技術分野】
【０００１】
本発明は、利用者が所望するカラオケ楽曲の演奏予約に従い、歌詞テロップや背景映像などを表示しながら演奏するカラオケ演奏装置に関し、さらに詳しくは、外国人向けのメッセージ表記ができるカラオケ演奏装置に関する。
【背景技術】
【０００２】
従来、カラオケ楽曲演奏の合間に、リクエストベスト１０、タウンガイド、新曲情報など、利用者に役立つカラオケ楽曲間ＣＭ（コマーシャルメッセージ）や、利用者の歌唱力採点情報、歌唱消費カロリー情報、各種ゲームの得点情報、あるいは上手く唄うためのレッスン情報などといった、利用者の歌唱行為に関連し、所定のカラオケ楽曲に対するコンテンツメッセージといったメッセージ表記をカラオケ楽曲の演奏前後あるいは演奏中に表示する機能を有したカラオケ演奏装置は広く知られており、このような機能やカラオケ演奏装置に関連する技術が数多く開発されてきた。
【０００３】
例えば、特許文献１では、カラオケ楽曲情報として、楽曲毎にそのジャンルや曲調に合せた識別子を付し、この識別子に基づいて利用者の嗜好リストを生成し、所定の処理装置が利用者の嗜好情報に応じて適宜な曲間画像を選択して表示する技術が開示されている。また、特許文献２では、歌唱入力音量や歌唱による身体運動のカロリー消費アルゴリズムに基づき、所定のカラオケ楽曲を歌唱した時の消費カロリーを表示する技術が開示されている。さらに、特許文献３では、カラオケ歌唱を採点する採点機能や曲間ＣＭを楽曲データと同じ楽曲番号を付して記憶させ、カラオケ楽曲を予約する曲番号入力と同じ操作で曲間ＣＭを予約できるようにした技術が開示されている。
【特許文献１】特開平１０−１４３１７５号公報
【特許文献２】特開２０００−２９４７９号公報
【特許文献３】特開２００２−２５１３９９号公報
【発明の開示】
【発明が解決しようとする課題】
【０００４】
従来技術においては、当然のことながら、カラオケ演奏装置は母国人（日本人）向けに設定されており、カラオケ楽曲間ＣＭや所定のカラオケ楽曲に関連するコンテンツメッセージなどについては、通常、日本人を対象として日本語で表示されている。このような現状で、日本においてカラオケを楽しむ外国人の数は増えおり、外国人にとって日本語の表示では内容がほとんど分からないという不都合が生じている。
【０００５】
例えば、現在では、特に人気のカラオケアプリケーションとして利用者の歌唱力採点情報のメッセージ表記がある。これは所定のカラオケ楽曲に対する利用者の歌唱力に対し、カラオケ演奏装置が付帯する自動採点機能を利用したものである。さらに、最近では、カラオケの普及により利用者の歌唱力レベルが向上し、一般人であってもプロ歌手にも負けない歌唱力を有する者も数多くいるため、このような歌唱力レベルの向上に伴い、自らの歌唱力を客観的に評価してもらいたいという要求に応えるように、級位や段位を設定してこれを認定したり、オーディションの実施や企画がなされているが、これらに応募するために、カラオケ演奏装置の自動採点機能を利用した採点結果に基づくプレエントリーやレッスン情報を提供するシステムやサービスなどがあるが、これらにおけるメッセージ表記ついても外国人に対して分かるように表示してほしいとの要望がある。
【０００６】
このような不都合の解決策や要望への対応策として、外国人向けのメッセージ表記を予め用意したり、言語コンバータによる言語変換機能を利用したりして、所定国（例えば、英語、韓国語、中国語など）のメッセージ表記を外国人利用者に選択してもらい、メッセージ表記の切り替えをすればよいのであるが、これでは外国人利用者に対して、選択およびその指示といった特別な操作の手間をかけるといった不都合が生じて好ましくない。
【０００７】
そこで、本発明は、上記不都合や要望を解決するために想到されたもので、すなわち、外国人利用者に対して特別な操作の手間をかけることなく、外国人向けのカラオケ楽曲間ＣＭや所定のカラオケ楽曲に関連するコンテンツメッセージなどのメッセージ表記を好適に自動表示できる言語別表示機能を有するカラオケ演奏装置の提供を課題とする。
【課題を解決するための手段】
【０００８】
上記課題を鑑み、本発明者は、予め設定された演奏数において、所定国のカラオケ楽曲の演奏割合が予め設定された規定値以上となった場合、それ以降は、順次演奏が行われる過程でその規定値を下回らない条件で、所定のカラオケ楽曲演奏の際、カラオケ楽曲間ＣＭやコンテンツメッセージといったメッセージ表記については当該所定国の言語にて表示することで、上記課題を解決できることを見出し、本発明の言語別表示機能を有するカラオケ演奏装置を想到した。
【０００９】
すなわち、本発明の請求項１記載の言語別表示機能を有するカラオケ演奏装置は、利用者が所望するカラオケ楽曲の演奏予約に従い、歌詞テロップや背景映像などを表示しながら演奏するカラオケ演奏装置において、予め設定された演奏数に達した段階にて、所定国のカラオケ楽曲の演奏割合が予め設定された規定値以上となった場合、それ以降は、順次演奏が行われる過程で前記規定値を下回らない条件で、所定のカラオケ楽曲演奏の際、カラオケ楽曲間ＣＭやコンテンツメッセージといったメッセージ表記については当該所定国の言語にて表示することを特徴とする。
【００１０】
また、本発明の請求項２記載の言語別表示機能を有するカラオケ演奏装置は、利用者が所望するカラオケ楽曲の演奏予約に従い、歌詞テロップや背景映像などを表示しながら演奏するカラオケ演奏装置において、予め設定された演奏数の直近の範囲内において、所定国のカラオケ楽曲の演奏割合が予め設定された規定値以上となった場合、それ以降は、順次演奏が行われる過程で前記規定値を下回らない条件で、所定のカラオケ楽曲演奏の際、カラオケ楽曲間ＣＭやコンテンツメッセージといったメッセージ表記については当該所定国の言語にて表示することを特徴とする。
【００１１】
さらに、本発明の請求項３記載の言語別表示機能を有するカラオケ演奏装置は、請求項１ないし請求項２記載の言語別表示機能を有するカラオケ演奏装置において、前記所定のカラオケ楽曲演奏が前記所定国のカラオケ楽曲演奏であることを特徴とする。
【００１２】
そして、本発明の請求項４記載の言語別表示機能を有するカラオケ演奏装置は、請求項１ないし請求項３記載の言語別表示機能を有するカラオケ演奏装置において、前記メッセージ表記が利用者の歌唱力採点情報であることを特徴とする。
【発明の効果】
【００１３】
本発明の請求項１ないし請求項２記載の言語別表示機能を有するカラオケ演奏装置によれば、外国曲の演奏割合が高くなり、外国人が利用していることを十分想定できる状況になった場合、それ以降は、その前記規定値を下回らない状態、換言すれば、外国人の利用継続を想定できる状況において、カラオケ楽曲間ＣＭやコンテンツメッセージといったメッセージ表記については当該所定国の言語にて表示、すなわち、外国人向けに予め用意したメッセージ表記への自動切り替えを行うことにより、外国人利用者に対し、特別な操作の手間をかけることなく、外国人向けのメッセージを好適に自動表示できるといった効果を奏する。
【００１４】
また、本発明の請求項３記載の言語別表示機能を有するカラオケ演奏装置によれば、請求項１ないし請求項２記載の発明は、所定国のカラオケ楽曲の演奏割合が予め設定された規定値以上となった場合、それ以降は、順次演奏が行われる過程でその規定値を下回らない条件で、母国語曲（日本語曲）の演奏時も含めて外国人向けにメッセージ表記されるものに対し、本請求項の発明では、外国曲の演奏時に対してのみ外国人向けメッセージ表記が表示されるため、上記効果に加え、利用者に母国人（日本人）が含まれ、当該利用者が日本語曲を歌唱する場合にも適宜に対応できるといった効果を奏する。
【００１５】
さらに、本発明の請求項４記載の言語別表示機能を有するカラオケ演奏装置によれば、前記メッセージ表記が利用者の歌唱力採点情報であることにより、現在、広く普及している自動採点機能を利用したカラオケアプリケーションに対する外国人の要望に好適に応えられるといった効果を奏する。
【発明を実施するための最良の形態】
【００１６】
以下、本発明の言語別表示機能を有するカラオケ演奏装置について、メッセージ表記（コンテンツメッセージ）として、利用者の歌唱力採点情報の実施例を挙げ、本発明を詳述する。
【実施例１】
【００１７】
先ず、図１は本発明の言語別表示機能を有するカラオケ演奏装置のブロック構成図である。本実施例において、カラオケ演奏装置（１）は利用者の歌唱力の自動採点機能を有するものであり、装置全体の動作を包括的に制御する中央制御手段（ＣＰＵ：２）と、これに接続された各種機器で構成され、この中央制御手段（２）にはハードディスク（３）、ＲＡＭ（４２）、音源（シンセサイザ：５）、ミキサ（エフェクタ：６）、ボーカルアダプタ（１１）、ＭＰＥＧデコーダ（１２）、合成回路（１３）、リモコン装置（１５）などが接続されている。
【００１８】
ここで、本実施例のカラオケ演奏装置（１）について詳述する。先ず、利用者のリモコン装置（１５）により、操作入力手段（２２）を経て入力された楽曲データに対し、音源（５）は中央制御手段（２）が実行するシーケンサ（２１）の処理によって、ハードディスク（３）に記憶された演奏音楽データ（２７）から楽音信号を形成し、形成した楽音信号はミキサ（６）に入力され、このミキサ（６）は、音源（５）が発生した複数の楽音信号やカラオケマイク（９）とＡ／Ｄコンバータ（１０）を介して入力された歌唱音声信号を適当なバランスでミキシングする。ミキシングされたデジタル音声信号はサウンドシステム（ＳＳ：７）に入力される。このサウンドシステム（７）は入力されたデジタル信号をアナログ信号に変換して増幅し、スピーカ（８）から楽音と歌唱音声を放音する。
【００１９】
Ａ／Ｄコンバータ（１０）によってデジタル信号に変換された歌唱音声信号はボーカルアダプタ（１１）にも入力される。このボーカルアダプタ（１１）は入力された歌唱音声信号から歌唱周波数を採取すると共に、中央制御手段（２）のシーケンサ（２１）から入力されたリファレンスの周波数を採取し、この歌唱周波数とリファレンス周波数を同期させ、所定時間毎に区切って歌唱力採点手段（１６）による採点処理を行う。なお、リファレンスとしては、通常、楽曲に含まれるガイドメロディーが用いられる。
【００２０】
歌唱力の自動採点は歌唱力採点手段（１６）にて行われ、歌唱周波数の採点結果を基本とし、様々な歌唱要素を評価する所定のアルゴリズムにて最終得点を算出する。例えば、この採点は、基本的には歌唱者の歌唱音声をリファレンスの周波数（音程・ピッチ）と比較することによって行われ、楽曲の終了時にその採点結果を表示する。ハードディスク（３）には採点テーブル（図示省略）が記憶され、基本点数を算出すると共に、ビブラートの程度、抑揚の程度、音質の良否、タイミングの良否、しゃくりの回数などに基づき、ボーナスポイントを算出して基本点数に加算（減算）する。さらに、ＲＡＭ（１２）には各種プログラムや楽曲データを読み出すエリアの他、採点時に採点結果を記憶する採点ログエリア（図示省略）などが設定されている。
【００２１】
ハードディスク（３）に記憶されている背景映像データ（２８）は、ＭＰＥＧ２形式にエンコードされており、中央制御手段（２）が実行する映像再生手段（２０）により再生処理を行い、これを読み出してＭＰＥＧデコーダ（１２）に入力する。このＭＰＥＧデコーダ（１２）は、入力されたＭＰＥＧデータをＮＴＳＣの映像信号に変換して合成回路（１３）に入力し、この合成回路（１３）は、この背景映像の映像信号上に歌詞テロップや採点表示などのＯＳＤを合成し、合成された映像信号はディスプレイ（２２）に表示されるものである。例えば、図２の採点結果のメッセージ表示画面（Ｄ）が示すように、曲名と共に、音程、音量、リズムなどの個別の採点結果や総合採点結果などがメッセージ表記されるが、当然のことながら、母国人（日本人）を対象として母国語（日本語）で表示される。
【００２２】
本発明では、母国語（日本語）以外でも所定国のメッセージ表記を行うため、ハードディスク（３）には国別のメッセージデータエリア（３０）が設置され、その国別の表示切り替えを行うタイミングを設定したタイミングデータエリア（２９）も設置されている。また、この切り替え処理は、図７の説明において後述するが、中央制御手段（２）が付帯（バス接続）する映像処理手段（１９）におけるセレクタ（１９ａ）が行い、メッセージがビデオ対応形式で保存されている場合は、そのメッセージ表記はビデオ信号発生手段（１９ｂ）を介して出力される。
【００２３】
さらに、中央制御手段（２）には、国別楽曲の演奏数を計測し、外国曲（通常は、所定国に属する言語に設定された歌詞テロップを付帯したカラオケ楽曲で、外国曲を特定するフラグないしＩＤコードにて管理されている楽曲）の演奏割合を算出するための国別楽曲演奏割合算出手段（１７）が付帯（バス接続）され、算出された結果は、演奏された楽曲のＩＤコードデータ（２３）と共に、ＲＡＭ（４）の国別楽曲演奏割合データエリア（２４）に随時記録される。
【００２４】
次に、図３〜図６に示す、国別楽曲演奏割合データテーブルに基づき、本発明における演奏割合と規定値および所定国のメッセージ表記への切り替えについて詳述する。図３〜図６が示す、何れの国別楽曲演奏割合データテーブル（２４ａ）、（２４ｂ）、（２４ｃ）、（２４ｄ）についても、演奏番号フィールド、楽曲ＩＤコードフィールド、当該楽曲ＩＤコードの国種別フィールド、国別言語演奏割合（「％」表記）フィールドを主な構成フィールドとしている。本実施例の国種別は、米国（Ｅ）、中国（Ｃ）、韓国（Ｋ）の所定国と日本国（Ｊ）にて区分しており、これらの国に対するメッセージ表記の国別言語として、英語（Ｅ）、中国語（Ｃ）、韓国語（Ｋ）および日本語（Ｊ）が設定されている。そして、本実施例では、図３〜図６の何れにおいても設定演奏数を「５曲」とし、その演奏割合の規定値を、図３と図４のものでは「７０％」、図５と図６のものでは「８０％」と設定している。
【００２５】
先ず、図３に示す、国別楽曲演奏割合データテーブル（２４ａ）では、割合の対象が演奏された全曲となる。すなわち、１曲目から５曲目については、デフォルト設定設定である日本語にてメッセージ表記が表示され、演奏が５曲目に達した段階で、韓国語（Ｋ）の演奏割合が８０％となり、規定値７０％以上になったことにより、５曲目の演奏後（５曲目の採点結果なども含む）からは韓国語にてメッセージ表記される。しかし、６曲目の演奏が日本語（Ｊ）であったため、韓国語（Ｋ）の演奏割合のこれまでの演奏数における演奏割合が６７％となり、規定値７０％を下回ったため、６曲目の演奏後からは、一旦、デフォルト設定である日本語にてメッセージ表記される。しかし、７曲目の演奏が韓国語（Ｋ）であったため、これまでの演奏数における演奏割合が７１％となり、規定値７０％以上になったことにより、７曲目の演奏後からは、再度、韓国語にてメッセージ表記され、８曲目以降１４曲目までは、順次演奏が行われる過程で規定値７０％を下回らない状態であるため、韓国語のメッセージ表記の表示が継続される。
【００２６】
次に、図４に示す、国別楽曲演奏割合データテーブル（２４ｂ）では、割合の対象が演奏された全曲となると共に、演奏割合が規定値以上になった所定国の演奏時に対してのみ外国人向けメッセージ表記が表示される。すなわち、１１曲目までは上記国別楽曲演奏割合データテーブル（２４ａ）と同様の経過でメッセージ表記が表示されるが、１１曲目の演奏後（５曲目の採点結果なども含む）、１２曲目と１３曲目の演奏がそれぞれ日本語（Ｊ）と中国語（Ｃ）であったため、これらの演奏の際には、デフォルト設定である日本語にてメッセージ表記される。そして、１４曲目の演奏は、韓国語（Ｋ）であったため、再度、韓国語にてメッセージ表記される。このような仕組みは、所定国以外の利用者が含まれている時に有効である。
【００２７】
また、図５に示す、国別楽曲演奏割合データテーブル（２４ｃ）では、割合の対象が演奏された直近５曲の範囲内になる。すなわち、１曲目から５曲目については、デフォルト設定である日本語にてメッセージ表記が表示され、演奏が５曲目に達した段階で、これを含め過去５曲における韓国語（Ｋ）の演奏割合が８０％となり、規定値８０％以上になったことにより、５曲目の演奏後からは韓国語にてメッセージ表記される。しかし、６曲目の演奏が日本語（Ｊ）であったため、これを含め過去５曲における韓国語（Ｋ）の演奏割合が６０％となり、規定値８０％を下回ったため、６曲目の演奏後からは、一旦、デフォルト設定である日本語にてメッセージ表記される。そして、７曲目の演奏が韓国語（Ｋ）であったため、これを含め過去５曲における韓国語（Ｋ）の演奏割合が８０％となり、規定値８０％以上になったことにより、７曲目の演奏後からは、再度、韓国語にてメッセージ表記され、８曲目以降１２曲目までは、順次演奏が行われる過程で規定値８０％を下回らない状態であるため、韓国語のメッセージ表記の表示が継続される。しかし、１３曲目と１４曲目の演奏がそれぞれ日本語（Ｊ）であったため、それぞれの演奏を含め、過去５曲における韓国語（Ｋ）のそれぞれの演奏割合が６０％と４０％となり、これらの演奏の際には、デフォルト設定である日本語にてメッセージ表記される。
【００２８】
そして、図６に示す、国別楽曲演奏割合データテーブル（２４ｄ）では、割合の対象が演奏された直近５曲の範囲内になると共に、演奏割合が規定値以上になった所定国の演奏時に対してのみ外国人向けメッセージ表記が表示される。すなわち、１１曲目までは上記国別楽曲演奏割合データテーブル（２４ｂ）と同様の経過でメッセージ表記が表示されるが、１１曲目の演奏後（５曲目の採点結果なども含む）、１２曲目の演奏が日本語（Ｊ）であったため、その演奏の際には、デフォルト設定である日本語にてメッセージ表記される。そして、１３曲目と１４曲目の演奏もそれぞれ中国語（Ｃ）と日本語（Ｊ）であったため、それぞれの演奏を含め、過去５曲における韓国語（Ｋ）のそれぞれの演奏割合が６０％と４０％となり、これらの演奏の際にも、デフォルト設定である日本語にてメッセージ表記される。
【００２９】
次に、図７に示す、本発明のカラオケ演奏装置における映像処理手段のブロック構成図に基づき、所定国のメッセージ表記への切り替え手段について詳述する。本実施例では、映像処理手段（１９）の中に、図１に示すハードディスク（３）の国別メッセージデータエリア（３０）から、所定の国別メッセージデータが、英語（Ｅ）、中国語（Ｃ）、韓国語（Ｋ）、日本語（Ｊ）の４つのメッセージ表記用のビデオメモリ（１９ｃ）に、略同一時系列でそれぞれ送られる。そして、これらのビデオメモリ（１９ｃ）はセレクタ（１９ａ）を介してビデオ信号発生手段（１９ｂ）に接続され、デフォルト設定状態では、日本語（Ｊ）のメッセージ表記用のビデオメモリ（１９ｃ）が接続されているが、所定国のカラオケ楽曲の演奏割合が予め設定された規定値以上となった場合は、セレクタ（１９ａ）の自動切り替えにより、指定された所定国のメッセージ表記用のビデオメモリ（１９ｃ）に接続が切り替わり、ビデオ信号発生手段（１９ｂ）を介してアナログ変換されて出力表示されるものである。
【００３０】
以上、詳述したように、本発明の言語別表示機能を有するカラオケ演奏装置によれば、予め設定された演奏数において、所定国のカラオケ楽曲の演奏割合が予め設定された規定値以上となった場合、それ以降は、順次演奏が行われる過程でその規定値を下回らない条件で、所定のカラオケ楽曲演奏の際、カラオケ楽曲間ＣＭやコンテンツメッセージといったメッセージ表記については当該所定国の言語にて表示するため、外国人利用者に対して特別な操作の手間をかけることなく、外国人向けのカラオケ楽曲間ＣＭや所定のカラオケ楽曲に関連するコンテンツメッセージなどのメッセージ表記を好適に自動表示できる。
【図面の簡単な説明】
【００３１】
【図１】本発明の言語別表示機能を有するカラオケ演奏装置のブロック構成図。
【図２】採点結果のメッセージ表示画面。
【図３】国別楽曲演奏割合データテーブル。
【図４】国別楽曲演奏割合データテーブル。
【図５】国別楽曲演奏割合データテーブル。
【図６】国別楽曲演奏割合データテーブル。
【図７】本発明のカラオケ演奏装置における映像処理手段のブロック構成図。
【符号の説明】
【００３２】
１  言語別表示機能を有するカラオケ演奏装置
２  中央制御手段
３  ハードディスク
４  ＲＡＭ
１６  歌唱力採点手段
１７  国別楽曲演奏割合算出手段
１９  映像処理手段
１９ａ  セレクタ
１９ｂ  ビデオ信号発生手段
２４  国別楽曲演奏割合データ
２９  表示切り替えタイミング用データ
３０  国別メッセージデータ
【図２】
2005215305.tif 000003
【図３】
2005215305.tif 000004
【図４】
2005215305.tif 000005
【図５】
2005215305.tif 000006
【図６】
2005215305.tif 000007
【図７】
2005215305.tif 000008
【図１】
2005215305.tif 000009